(57)【要約】【課題】多種多様な大きさ、形状の導光部材を交換可能とし、多層に重ねられた導光部材の表面に刻印等された模様等の重なり具合を変更可能とする照明器具を提供する。【解決手段】本発明の照明器具は、光源としてのＬＥＤ６ａ，６ｂ，６ｃと、光源が内部に配設された筐体２と、筐体２に装着される複数の導光部材３乃至５とを備え、複数の導光部材３乃至５は、大きさが異なり、小さい導光部材の少なくとも一部を大きい導光部材が覆うような状態で、筐体２の光源の上に装着される。また、筐体２には溝部が設けられており、光源は、筐体２の前記溝部に設けられており、複数の導光部材３乃至５は、筐体２に装着されるときに溝部に嵌合される。【選択図】図１
2019185879.tif 000002
【特許請求の範囲】
【請求項１】
光源と、
前記光源が内部に配設された筐体と、
前記筐体に装着される複数の導光部材と、を備え、
前記複数の導光部材は、大きさが異なり、小さい導光部材の少なくとも一部を大きい導光部材が覆うような状態で、前記筐体の前記光源上に装着される
照明器具。
【請求項２】
前記筐体には溝部が設けられており、
前記光源は、前記筐体の前記溝部に設けられており、
前記複数の導光部材は、前記筐体に装着されるときに前記溝部に嵌合される
請求項１に記載の照明器具。
【請求項３】
前記複数の導光部材は、それぞれの高さ方向に垂直な平面による断面の直径が異なる中空の円筒形状である
請求項１又は請求項２に記載の照明器具。
【請求項４】
前記複数の導光部材は、それぞれの高さ方向に垂直な平面による断面の直径と高さとが異なる中空の円筒形状である
請求項１又は請求項２に記載の照明器具。
【請求項５】
前記複数の導光部材の内部、内周面、又は外周面には、所定の文字、図形、記号、及び模様の少なくともいずれかに係る刻印がなされている
請求項１乃至請求項４のいずれか１項に記載の照明器具。
【請求項６】
前記複数の導光部材は、前記溝部に嵌合された状態で、回転自在である
請求項２乃至請求項５のいずれか１項に記載の照明器具。
【請求項７】
光源と、
前記光源が内部に配設され、溝部を有する筐体と、
前記筐体に装着されるもので、表面に所定の模様に係る刻印がなされた第１乃至第３の導光部材と、を備え、
前記溝部は、前記第１乃至第３の導光部材に対応した第１乃至第３の溝部からなり、
前記光源は、前記第１乃至第３の溝部にそれぞれ設けられており、
前記第１乃至第３の導光部材は、大きさが異なり、前記第１の導光部材の少なくとも一部を前記第２の導光部材が覆い、前記第２の導光部材の少なくとも一部を前記第３の導光部材が覆った状態で、前記筐体の前記溝部に回転自在に嵌合され、
前記第１乃至第３の溝部に設けられた光源の発光色は同一、又は少なくとも一つが他と異なる
照明器具。
【請求項８】
光源と、
前記光源が内部に配設された筐体と、
前記筐体に装着される導光部材と、を備え、
前記筐体には溝部が設けられており、
前記光源は、前記筐体の前記溝部に設けられており、
前記導光部材は、前記筐体に装着されるときに前記溝部に嵌合される
照明器具。
【請求項９】
光源と、
前記光源が内部に配設された第１筐体と、
第２筐体と、
複数の導光部材と、を備え、
前記複数の導光部材は、大きさが異なり、小さい導光部材の少なくとも一部を大きい導光部材が覆うような状態で、一端が前記第１筐体の前記光源の光路上に装着され、他端が前記第２筐体に装着される
照明器具。
【請求項１０】
前記光源とは、発光ダイオードである
請求項１乃至請求項９のいずれか１項に記載の照明器具。
【発明の詳細な説明】
【技術分野】
【０００１】
本発明は、バリエーション豊富な表示を実現する照明器具に関する。
【背景技術】
【０００２】
今日、発光ダイオード（LED；Light Emitting Diode）は、小型且つ低消費電力を実現するものとして、市場に拡がりを見せており、様々な製品に仕様されている。そして、従来、白熱電球等を用いていた照明器具についても、ＬＥＤを採用し、多種多様なデザインに造形されたものが、多数提案されている。
【０００３】
さらに、ＬＥＤは、導光部材と組み合わせることで、広告用照明装置を実現することもでき、ＬＥＤや導光部材の特質を生かした様々な製品が提案されている。
【０００４】
例えば、特許文献１では、複数の発光ダイオードからなる光源が取り付けられた光源基盤を、アルミニウム製の枠を用いて、導光板の側端縁方向にその導光板から離隔して配置し、看板広告用照明装置とする技術が開示されている。    
【先行技術文献】
【特許文献】
【０００５】
【特許文献１】特開２００７−４１６２２号公報
【発明の概要】
【発明が解決しようとする課題】
【０００６】
しかしながら、特許文献１では、多種多様な大きさや形状の導光部材を交換自在とし多様なデザインの照明装置を実現することは開示されていなかった。
【０００７】
また、導光部材の透過性、及び刻印部における散乱性という特質を生かして、多層に重ねられた導光板の表面に刻印等された模様等の重なり具合を自由に変更可能とする照明器具については、従来存在しない。
【０００８】
本発明は、このような課題に鑑みてなされたものであり、その目的とするところは、多種多様な大きさ、形状の導光部材を交換可能とし、多層に重ねられた導光部材の表面に刻印等された模様等の重なり具合を自由に変更可能とする照明器具を提供することにある。
【課題を解決するための手段】
【０００９】
上記課題を解決するため、本発明の第１の態様に係る照明器具は、光源と、前記光源が内部に配設された筐体と、前記筐体に装着される複数の導光部材と、を備え、前記複数の導光部材は、大きさが異なり、小さい導光部材の少なくとも一部を大きい導光部材が覆うような状態で、前記筐体の前記光源上に装着される。
【００１０】
本発明の第２の態様に係る照明器具は、第１の態様において、前記筐体には溝部が設けられており、前記光源は、前記筐体の前記溝部に設けられており、前記複数の導光部材は、前記筐体に装着されるときに前記溝部に嵌合される。
【００１１】
本発明の第３の態様に係る照明器具は、第１又は第２の態様において、前記複数の導光部材は、それぞれの高さ方向に垂直な平面による断面の直径が異なる中空の円筒形状である。
【００１２】
本発明の第４の態様に係る照明器具は、第１又は第２の態様において、前記複数の導光部材は、それぞれの高さ方向に垂直な平面による断面の直径と高さとが異なる中空の円筒形状である。
【００１３】
本発明の第５の態様に係る照明器具は、第１乃至第４の態様において、前記複数の導光部材の内部、内周面、又は外周面には、所定の文字、図形、記号、及び模様の少なくともいずれかに係る刻印がなされている。
【００１４】
本発明の第６の態様に係る照明器具は、第２乃至第５の態様において、前記複数の導光部材は、前記溝部に嵌合された状態で、回転自在である。
【００１５】
本発明の第７の態様に係る照明器具は、光源と、前記光源が内部に配設され、溝部を有する筐体と、前記筐体に装着されるもので、表面に所定の模様に係る刻印がなされた第１乃至第３の導光部材と、を備え、前記溝部は、前記第１乃至第３の導光部材に対応した第１乃至第３の溝部からなり、前記光源は、前記第１乃至第３の溝部にそれぞれ設けられており、前記第１乃至第３の導光部材は、大きさが異なり、前記第１の導光部材の少なくとも一部を前記第２の導光部材が覆い、前記第２の導光部材の少なくとも一部を前記第３の導光部材が覆った状態で、前記筐体の前記溝部に回転自在に嵌合され、前記第１乃至第３の溝部に設けられた光源の発光色は同一、又は少なくとも一つが他と異なる。
【００１６】
本発明の第８の態様に係る照明器具は、光源と、前記光源が内部に配設された筐体と、前記筐体に装着される導光部材と、を備え、前記筐体には溝部が設けられており、前記光源は、前記筐体の前記溝部に設けられており、前記導光部材は、前記筐体に装着されるときに前記溝部に嵌合される。
【００１７】
本発明の第９の態様に係る照明器具は、光源と、前記光源が内部に配設された第１筐体と、第２筐体と、複数の導光部材と、を備え、前記複数の導光部材は、大きさが異なり、小さい導光部材の少なくとも一部を大きい導光部材が覆うような状態で、一端が前記第１筐体の前記光源の光路上に装着され、他端が前記第２筐体に装着される。
【００１８】
そして、本発明の第１０の態様に係る照明器具は、第１乃至第９の態様において、前記光源とは、発光ダイオードである。
【発明の効果】
【００１９】
本発明によれば、多種多様な大きさ、形状の導光部材を交換可能とし、多層に重ねられた導光部材の表面に刻印等された模様等の重なり具合を自由に変更可能とする照明器具を提供することができる。
【図面の簡単な説明】
【００２０】
【図１】本発明の第１実施形態に係る照明器具の斜視図である。
【図２】本発明の第１実施形態に係る照明器具の構成図である。
【図３】本発明の第１実施形態に係る照明器具の断面図である。
【図４】本発明の第２実施形態に係る照明器具の斜視図である。
【図５】本発明の第２実施形態に係る照明器具の構成図である。
【図６】本発明の第２実施形態に係る照明器具の断面図である。
【図７】本発明の第３実施形態に係る照明器具の斜視図である。
【図８】本発明の第３実施形態に係る照明器具の構成図である。
【図９】本発明の第３実施形態に係る照明器具の断面図である。
【図１０】本発明の第４実施形態に係る照明器具の斜視図である。
【図１１】本発明の第５実施形態に係る照明器具の斜視図である。
【発明を実施するための形態】
【００２１】
以下、図面を参照しつつ本発明の一実施形態について説明する。
【００２２】
（第１実施形態）
【００２３】
図１には本発明の第１実施形態に係る照明器具の斜視図を示し、図２には同照明器具の構成図を示し、図３には同照明器具の断面図を示し説明する。より詳細は、図２（ａ）は正面図、図２（ｂ）は左側面図、図２（ｃ）は右側面図、図２（ｄ）は平面図、図２（ｅ）は底面図をそれぞれ示している。
【００２４】
これらの図に示されるように、第１実施形態に係る照明器具１は、筐体２を有しており、筐体２の内部には電源ユニット７が内包されている。この例では、筐体２は、円筒形状となっているが、これに限定されるものではない。筐体２の平面には、中空の円筒形状の導光部材３乃至５の下端縁形状と合致する溝部が設けられており、該溝部より上方、つまり装着された導光部材３乃至５の方向に発光するような位置関係で、光源としてのＬＥＤ群６ａ，６ｂ，６ｃが配設されている。詳細には、筐体２には、各導光部材３乃至５に対応する３つの円周状の溝部が配設されているが、各ＬＥＤ群６ａ，６ｂ，６ｃは、それぞれの溝部において、所定間隔を隔てて並ぶように配列される。
【００２５】
導光部材３乃至５は、それぞれ高さ方向に垂直な平面による断面の直径が、異なるように造形されている。この例では、導光部材３を導光部材４が覆うように、そして導光部材４を導光部材５が覆うような状態で、筐体に装着（例えば、載置）され、各下端縁形状に合致した溝部に下端縁部が嵌合される。但し、嵌合された状態でも、導光部材３乃至５は、各溝部に対して回転自在となっている。図１乃至図３では、不図示であるが、各導光部材３乃至５の内部、外周面、又は内周面には、文字、図形、記号、及び模様の少なくともいずれかが刻印がされている。
【００２６】
このような構成において、円周状の平面に設けられた溝部に、それぞれ配設されている光源としてのＬＥＤ群６ａ，６ｂ，６ｃには、電源ユニット７より電源供給される。各ＬＥＤ群６ａ，６ｂ，６ｃの発光状態のオン／オフは、図１乃至図３では不図示のスイッチにより切り替え可能である。筐体２の溝部に、導光部材３乃至５の下端縁部が嵌合されると、図１に示されるように、導光部材３を導光部材４が内包し、導光部材３，４を導光部材５が内包するような位置関係で、各導光部材３乃至５が立設される。このとき、各導光部材３乃至５の間には、所定の間隔が設けられている。
【００２７】
光源としてのＬＥＤ群６ａ，６ｂ，６ｃからの光は、導光部材３乃至５の内部に導出され、模様等の刻印の部分では、拡散、乱反射することで、模様等が浮き出たような風合いで表示される。従って、各導光部材３乃至５の刻印を異なるものとすれば、それらが重なるように表示される。また、導光部材３乃至５は、溝部に対して回転自在となっているので、刻印の模様等が表示された状態で、回転させれば、模様の重なり具合を調整できるので、表示にバリエーションを持たせることが可能である。また、ＬＥＤ６ａ，６ｂ，６ｃ等の発光色を替えれば、表示態様に更にバリエーションを持たせることができる。つまり、発光色については、２つのＬＥＤ６ａ，６ｂ，６ｃの全てが同じか、最内側のＬＥＤ６ｃと最外側のＬＥＤ６ａが同じか、３つのＬＥＤ６ａ，６ｂ，６ｃの全てが異なるなどと、バリエーションを持たせることが可能であることは勿論である
【００２８】
以上説明したように、本発明の第１実施形態によれば、３つの円筒形状の導光部材３乃至５に刻印された文字、図形、記号、及び模様の少なくともいずれかを重ねて表示させることで、奥行き感のある表示態様を実現することができる。導光部材３乃至５は、筐体２に対して回転自在となっているので、模様等の表示の重なり具合を調整することで、表示態様にバリエーションを持たせることも可能である。尚、電源ユニット７にリレー回路等を設けて、発光が点滅するように工夫することも可能である。
【００２９】
（第２実施形態）
【００３０】
図４には本発明の第２実施形態に係る照明器具の斜視図を示し、図５には同照明器具の構成図を示し、図６には同照明器具の断面図を示し説明する。より詳細は、図５（ａ）は正面図、図５（ｂ）は左側面図、図５（ｃ）は右側面図、図５（ｄ）は平面図、図５（ｅ）は底面図をそれぞれ示している。
【００３１】
これらの図に示されるように、第２実施形態に係る照明器具１０は、筐体１１を有しており、筐体１１の内部には電源ユニット１６が内包されている。この例では、筐体１１は、円筒形状となっているが、これに限定されるものではない。筐体１１の平面には、中空の円筒形状の導光部材１２乃至１４の下端縁形状と合致する溝部が設けられており、該溝部より上方、つまり装着された導光部材１２乃至１４の方向に発光するような位置関係で、光源としてのＬＥＤ群１５ａ，１５ｂ，１５ｃが配設されている。詳細には、筐体１１には、各導光部材１２乃至１４に対応する３つの円周状の溝部が配設されているが、各ＬＥＤ群１５ａ，１５ｂ，１５ｃは、それぞれの溝部において所定間隔を隔てて並ぶように配列される。
【００３２】
導光部材１２乃至１４は、それぞれ高さ方向に垂直な平面による断面の直径が、異なるように造形されている。さらに、導光部材１２乃至１４は、上方縁部が斜めに切断された形状となっている点で、前述した第１実施形態とは異なる。尚、切断形状については、一例であって、これに限定されないことは勿論である。
【００３３】
そして、この例では、導光部材１２を導光部材１３が覆うように、そして導光部材１３を導光部材１４が覆うような状態で、筐体１１に装着（例えば、載置）され、各下端縁形状に合致した溝部に下端縁部が嵌合される。但し、嵌合された状態でも、導光部材１２乃至１４は、各溝部に対して回転自在となっている。図４乃至図６では、不図示であるが、各導光部材１２乃至１４の内部、内周面、又は外周面には、文字、図形、記号、及び模様の少なくともいずれかが刻印されている。
【００３４】
このような構成において、円周状の平面に設けられた溝部に、それぞれ配設されている光源としてのＬＥＤ群１５ａ，１５ｂ，１５ｃには、電源ユニット１６より電源供給される。各ＬＥＤ群１５ａ，１５ｂ，１５ｃの発光状態のオン／オフは、図４乃至図６では不図示のスイッチにより切り替え可能である。筐体１１の溝部に、導光部材１２乃至１４の下端縁部が嵌合されると、図４に示されるように、導光部材１２を導光部材１３が内包し、導光部材１２，１３を導光部材１４が内包するような位置関係で、各導光部材１２乃至１４が立設される。このとき、各導光部材１２乃至１４の間には、所定の間隔が設けられている。
【００３５】
光源としてのＬＥＤ群１５ａ，１５ｂ，１５ｃからの光は、導光部材１２乃至１４の内部に導出され、模様等の刻印の部分では、拡散、乱反射することで、模様等が浮き出たような風合いで表示される。従って、各導光部材１２乃至１４の刻印を異なるものとすれば、それらが重なるように表示される。また、導光部材１２乃至１４は、溝部に対して回転自在となっているので、刻印の模様等が表示された状態で、回転させれば、模様の重なり具合を調整できるので、表示にバリエーションを持たせることが可能である。また、ＬＥＤ１５ａ，１５ｂ，１５ｃ等の発光色を替えれば、表示態様に更にバリエーションを持たせることができる。つまり、発光色については、２つのＬＥＤ１５ａ，１５ｂ，１５ｃの全てが同じか、最内側のＬＥＤ１５ｃと最外側のＬＥＤ１５ａが同じか、３つのＬＥＤ１５ａ，１５ｂ，１５ｃの全てが異なるなどと、バリエーションを持たせることが可能であることは勿論である。
【００３６】
以上説明したように、本発明の第２実施形態によれば、３つの円筒形状の導光部材１２乃至１４に刻印された文字、図形、記号、及び模様の少なくともいずれかを重ねて表示させることで、奥行き感のある表示態様を実現することができる。さらに、導光部材１２乃至１４は、筐体１１に対して回転自在となっているので、模様等の表示の重なり具合を調整することで、表示態様にバリエーションを持たせることも可能である。尚、電源ユニット１６にリレー回路等を設けて、発光が点滅するように工夫することも可能である。
【００３７】
（第３実施形態）
【００３８】
図７には本発明の第３実施形態に係る照明器具の斜視図を示し、図８には同照明器具の構成図を示し、図９には同照明器具の断面図を示し説明する。より詳細は、図８（ａ）は正面図、図８（ｂ）は左側面図、図８（ｃ）は右側面図、図８（ｄ）は平面図、図８（ｅ）は底面図をそれぞれ示している。
【００３９】
これらの図に示されるように、第３実施形態に係る照明器具２０は、筐体２１を有しており、筐体２１の内部には電源ユニット２６が内包されている。この例では、筐体２１は、円筒形状となっているが、これに限定されるものではない。筐体２１の平面には、中空の円筒形状の導光部材２２乃至２４の下端縁形状と合致する溝部が設けられており、該溝部より上方、つまり装着された導光部材２２乃至２４の方向に発光するような位置関係で、光源としてのＬＥＤ群２５ａ，２５ｂ，２５ｃが配設されている。詳細には、筐体２１には、各導光部材２２乃至２４に対応する３つの円周状の溝部が配設されているが、各ＬＥＤ群２５ａ，２５ｂ，２５ｃは、それぞれの溝部において所定間隔を隔てて並ぶように配列される。
【００４０】
導光部材２２乃至２４は、それぞれ高さが異なり、更に高さ方向に垂直な平面による断面の直径が、異なるように造形されている。この例では、導光部材２２の少なくとも一部を導光部材２３が覆うように、そして導光部材２３の少なくとも一部を導光部材２４が覆うような状態で、筐体２１に装着（例えば、載置）され、各下端縁形状に合致した溝部に下端縁部が嵌合される。但し、嵌合された状態でも、導光部材２２乃至２４は、各溝部に対して回転自在となっている。図７乃至図９では、不図示であるが、各導光部材２２乃至２４の内部、内周面、又は外周面には、文字、図形、記号、及び模様の少なくともいずれかが刻印されている。
【００４１】
このような構成において、円周状の平面に設けられた溝部に、それぞれ配設されている光源としてのＬＥＤ群２５ａ，２５ｂ，２５ｃには、電源ユニット２６より電源供給される。各ＬＥＤ群２５ａ，２５ｂ，２５ｃの発光状態のオン／オフは、図７乃至図９では不図示のスイッチにより切り替え可能である。筐体２１の溝部に、導光部材２２乃至２４の下端縁部が嵌合されると、図７に示されるように、導光部材２２の一部を導光部材２３が内包し、導光部材２２，２３の一部を導光部材２４が内包するような位置関係で、各導光部材２２乃至２４が立設される。このとき、各導光部材２２乃至２４の間には、所定の間隔が設けられている。
【００４２】
光源としてのＬＥＤ群２５ａ，２５ｂ，２５ｃからの光は、導光部材２２乃至２４の内部に導出され、模様等の刻印の部分では、拡散、乱反射することで、模様等が浮き出たような風合いで表示される。したがって、各導光部材２２乃至２４の刻印を異なるものとすれば、それらが重なるように表示される。また、導光部材２２乃至２４は、溝部に対して回転自在となっているので、刻印の模様等が表示された状態で、回転させれば、模様の重なり具合を調整できるので、表示にバリエーションを持たせることが可能である。また、ＬＥＤ２５ａ，２５ｂ，２５ｃ等の発光色を替えれば、表示態様に更にバリエーションを持たせることができる。つまり、発光色については、２つのＬＥＤ２５ａ，２５ｂ，２５ｃの全てが同じか、最内側のＬＥＤ２５ｃと最外側のＬＥＤ２５ａが同じか、３つのＬＥＤ２５ａ，２５ｂ，２５ｃの全てが異なるなどと、バリエーションを持たせることが可能であることは勿論である。
【００４３】
以上説明したように、本発明の第３実施形態によれば、３つの円筒形状の導光部材２２乃至２４に刻印された文字、図形、記号、及び模様の少なくともいずれかを重ねて表示させることで、奥行き感のある表示態様を実現することができる。また、それぞれの導光部材２２乃至２４は高さも異なるので、より立体感、奥行き感を出すことが可能である。さらに、導光部材２２乃至２４は、筐体２１に対して回転自在となっているので、模様等の表示の重なり具合を調整することで、表示態様にバリエーションを持たせることも可能である。尚、電源ユニット２６にリレー回路等を設けて、発光が点滅するように工夫することも可能である。
【００４４】
（第４実施形態）
【００４５】
図１０には、本発明の第４実施形態に係る照明器具の斜視図を示し説明する。
【００４６】
ここで、前述した第１実施形態と同一構成については、同一符号を用いて重複した説明は省略し、特徴的な部分を中心に説明する。本例は、導光部材の上部に発光源を備えた筐体を被せるタイプである。
【００４７】
同図に示されるように、第４実施形態に係る照明器具１は、筐体２を有しており、筐体２の内部には不図示の電源ユニットが内包されている。この例では、筐体２は、円筒形状となっているが、これに限定されるものではない。筐体２の平面には、中空の円筒形状の３つの導光部材（最外側の符号５のみ図示）の下端縁形状と合致する溝部が設けられており、該溝部より下方、つまり接続された各導光部材の方向に発光するような位置関係で、光源としてのＬＥＤ群が配設されている。詳細には、筐体２には、３つの導光部材に対応する３つの円周状の溝部が配設されており、各ＬＥＤ群は、それぞれの溝部において、所定間隔を隔てて並ぶように配列される。
【００４８】
３つの導光部材は、それぞれ高さ方向に垂直な平面による断面の直径が、異なるように造形されている。この例では、最も直径の小さい第１導光部材を２番目に直径の小さい第２導光部材が覆い、第２導光部材を第３導光部材が覆うような状態で、それぞれの上部に筐体に被せられる。そのとき、各上端縁形状に合致した溝部に上端縁部が嵌合される。但し、嵌合された状態でも、３つの導光部材は、各溝部に対して回転自在となっている。３つの導光部材の内部、内周、又は外周面上には、例えば、文字、図形、記号、及び模様等の少なくともいずれかが刻印可能である。
【００４９】
以上説明したように、第４の実施形態によれば、３つの円筒形状の導光部材に刻印された文字、図形、記号、及び模様の少なくともいずれかを重ねて表示させることで、奥行き感のある表示態様を実現することができる。３つの導光部材は、筐体２に対して回転自在となっているので、模様等の表示の重なり具合を調整することで、表示態様にバリエーションを持たせることも可能である。
【００５０】
（第５実施形態）
【００５１】
図１１には、本発明の第５実施形態に係る照明器具の斜視図を示し説明する。この例は所謂横置きタイプである。
【００５２】
ここで、前述した第１実施形態と同一構成については、同一符号を用いて重複した説明は省略し、特徴的な部分を中心に説明する。
【００５３】
同図に示されるように、第５実施形態に係る照明器具１は、筐体２を有しており、筐体２の内部には不図示の電源ユニットが内包されている。この例では、筐体２は、円筒形状となっているが、これに限定されるものではない。筐体２の平面には、中空の円筒形状の３つの導光部材（最外側の符号５のみ図示）の一端縁形状と合致する溝部が設けられており、該溝部より側方、つまり接続された導光部材の方向に発光するような位置関係で、光源としてのＬＥＤ群が配設されている。詳細には、筐体２には、３つの導光部材に対応する３つの円周状の溝部が配設されており、各ＬＥＤ群は、それぞれの溝部において、所定間隔を隔てて並ぶように配列される。
【００５４】
一方、第２筐体２は、３つの導光部材の他端が装着されるもので、筐体２と同様、２つの導光部材の他端縁形状と合致する溝部が設けられている。但し、この例では、第２筐体２内には発光源は配置されていない。
【００５５】
３つの導光部材は、それぞれ横方向に垂直な平面による断面の直径が、異なるように造形されている。この例では、最も直径の小さい第１導光部材を２番目に直径の小さい第２導光部材が覆い、第２導光部材を第３導光部材５が覆うような状態で、それぞれの一端が筐体に接続される。そのとき、各一端の形状に合致した溝部に当該一端が嵌合される。但し、嵌合された状態でも、３つの導光部材は、各溝部に対して回転自在となっている。３つの導光部材の内部、内周、又は外周面上には、例えば、文字、図形、記号、及び模様等の少なくともいずれかが刻印可能である。
【００５６】
以上説明したように、第５の実施形態によれば、３つの円筒形状の導光部材に刻印された文字、図形、記号、及び模様の少なくともいずれかを重ねて表示させることで、奥行き感のある表示態様を実現することができる。３つの導光部材は、筐体２に対して回転自在となっているので、模様等の表示の重なり具合を調整することで、表示態様にバリエーションを持たせることも可能である。
【００５７】
以上説明したように、本発明の第１乃至第５の実施形態によれば、以下の発明が提供されることになる。
【００５８】
第１に、光源としてのＬＥＤ６ａ〜６ｃ、１５ａ〜１５ｃ、２５ａ〜２５ｃと、光源が内部に配設された筐体２，１１，２１と、筐体に載置される複数の導光部材３乃至５、１２乃至１４、２２乃至２４とを備え、複数の導光部材は、大きさが異なり、小さい導光部材の少なくとも一部を大きい導光部材が覆うような状態で、筐体の前記光源の上に載置される照明器具が提供される。従って、例えば、光源の発光色を替えた場合においては、それぞれの光が各導光部材に導出され、異なる色の重なりにより、色彩豊かな表示が実現される。
【００５９】
ここで、筐体２，１１，２１には溝部が設けられており、光源は、筐体の溝部に設けられており、複数の導光部材は、筐体に載置されるときに前記溝部に嵌合されるようにしてもよい。この場合、導光部材を筐体に対してしっかりと位置固定することが可能となるので、安定性が良好となる。尚、溝部は、上記位置固定の役割のほか、導光部材に導出される光に漏れが生じないようにする役割も担っている。
【００６０】
さらに、複数の導光部材３乃至５、１２乃至１４、２２乃至２４は、それぞれの高さ方向に垂直な平面による断面の直径が異なる中空の円筒形状であってよい。この場合、小さい導光部材を大きな導光部材が内包するような関係で配置されるので、それぞれに導光部材の発光の重なりを楽しむことが可能となる。
【００６１】
また、複数の導光部材２２乃至２４は、それぞれの高さ方向に垂直な平面による断面の直径と高さとが異なる中空の円筒形状であってよい。この場合、導光部材の重なりにも立体感、奥行き感を持たせることが可能となる。
【００６２】
そして、複数の導光部材３乃至５、１２乃至１４、２２乃至２４の内部、内周面、又は外周面には、所定の文字、図研、記号、及び模様の少なくともいずれかに係る刻印がなされてよい。この場合には、上記導光部材の相互の位置関係も相俟って、それぞれの刻印からの拡散光による表示を重ねることで、バリエーション豊かな表示が実現される。
【００６３】
さらに、複数の導光部材３乃至５、１２乃至１４、２２乃至２４は、溝部２，１１，２１に嵌合された状態で、回転自在であってよい。この場合、模様等の重なり具合を自由に調整することができるので、導光部材の表示に、より一層バリエーションを持たせることが可能となる。
【００６４】
第２に、光源としてのＬＥＤ６ａ〜６ｃ、１５ａ〜１５ｃ、２５ａ〜２５ｃと、光源が内部に配設され、溝部を有する筐体２，１１，２１と、筐体に載置されるもので、表面に所定の模様に係る刻印がなされた第１乃至第３の導光部材３乃至５、１２乃至１４、２２乃至２４とを備え、溝部は、前記第１乃至第３の導光部材に対応した第１乃至第３の溝部からなり、光源は、前記第１乃至第３の溝部にそれぞれ設けられており、第１乃至第３の導光部材は、大きさが異なり、第１の導光部材３，１２，２１の少なくとも一部を第２の導光部材４，１３，２３が覆い、第２の導光部材４，１３，２３の少なくとも一部を第３の導光部材５，１４，２４が覆った状態で、筐体２，１１，２１の溝部に回転自在に嵌合され、第１乃至第３の溝部に設けられた光源の発光色は同一又は少なくとも一つが他と異なる照明器具が提供される。従って、小さい導光部材を大きい導光部材が内包するような位置関係で筐体に載置されるので、それぞれの導光部材の発光を重ねて、バリエーション豊かな表示を実現することが可能となる。
【００６５】
以上、本発明の第１乃至第５実施形態について説明したが、本発明はこれに限定されることなくその趣旨を逸脱しない範囲で種々の改良・変更が可能であることは勿論である。
【００６６】
例えば、導光部材は、円筒形状のものには限定されず、ドーム型等、種々の形状のものを採用することができる。また、複数の導光部材に、赤、青などの着色料を用いて、それぞれ異なる着色を施してもよいことは勿論である。
【符号の説明】
【００６７】
１…照明器具
２…筐体
３〜５…導光部材
６ａ，６ｂ，６ｃ…ＬＥＤ
７…電源ユニット
１０…照明器具
１１…筐体
１２〜１４…導光部材
１５ａ，１５ｂ，１５ｃ…ＬＥＤ
１６…電源ユニット
２０…照明器具
２１…筐体
２２〜２４…導光部材
２５ａ，２５ｂ，２５ｃ…ＬＥＤ
２６…電源ユニット
【図１】
2019185879.tif 000003
【図２】
2019185879.tif 000004
【図３】
2019185879.tif 000005
【図４】
2019185879.tif 000006
【図５】
2019185879.tif 000007
【図６】
2019185879.tif 000008
【図７】
2019185879.tif 000009
【図８】
2019185879.tif 000010
【図９】
2019185879.tif 000011
【図１０】
2019185879.tif 000012
【図１１】
2019185879.tif 000013